(57)【要約】【課題】専用のセンサ等を具備することなく安価に装置の異常を検出することができ、コストを低下することができる血液浄化装置を提供する。【解決手段】供給液回路と、供給液回路において供給液または供給液の排液を貯留する貯留チャンバと、供給液回路において貯留チャンバの送液方向上流側に配置され、貯留チャンバに供給液または排液を導入する液導入ポンプと、供給液回路において貯留チャンバの送液方向下流側に配置され、貯留チャンバから供給液または排液を導出する液導出ポンプと、貯留チャンバの残量を検出する検出部と、液導入ポンプが貯留チャンバに導入する供給液または排液の導入量、液導出ポンプが貯留チャンバに導出する供給液または排液の導出量、及び検出部が検出する貯留チャンバの残量に基づいて、供給液回路の送液状態の異常を検出する異常検出部と、を具備する。【選択図】図１
2020151191.tif 000002
【特許請求の範囲】
【請求項１】
血液浄化器を介して患者の血液が体外循環する血液回路と、
前記血液浄化器若しくは前記血液回路に供給される供給液が流通する供給液ライン、及び前記血液浄化器から排出される供給液の排液が流通する排液ラインを有する供給液回路と、
前記供給液回路において前記供給液または前記排液を貯留する貯留チャンバと、
前記供給液回路において前記貯留チャンバの送液方向上流側に配置され、前記貯留チャンバに前記供給液または前記排液を導入する液導入ポンプと、
前記供給液回路において前記貯留チャンバの送液方向下流側に配置され、前記貯留チャンバから前記供給液または前記排液を導出する液導出ポンプと、
前記貯留チャンバの残量を検出する検出部と、
前記液導入ポンプが前記貯留チャンバに導入する前記供給液または排液の導入量、前記液導出ポンプが前記貯留チャンバに導出する前記供給液または排液の導出量、及び前記検出部が検出する前記貯留チャンバの残量に基づいて、前記供給液回路の送液状態の異常を検出する異常検出部と、を具備する血液浄化装置。
【請求項２】
前記異常検出部は、前記液導入ポンプの導入量及び前記液導出ポンプの導出量に応じた前記貯留チャンバの残量理論値と、前記検出部が検出する検出値に応じた残量実測値との差分に基づいて、前記供給液回路の送液状態の異常を検出する請求項１に記載の血液浄化装置。
【請求項３】
前記異常検出部は、前記差分が閾値より高くなったことを条件として前記供給液排液ラインの閉塞を検出する請求項２に記載の血液浄化装置。
【請求項４】
前記異常検出部は、前記差分の変化量または変化速度に応じて前記排液ラインの閉塞と他の異常とを判別する請求項３記載の血液浄化装置。
【請求項５】
前記貯留チャンバに供給する供給液が収容された供給液収容部を具備するとともに、前記異常検出部は、前記差分が閾値より低くなったことを条件として前記供給液収容部内の供給液の不足を検出する請求項２に記載の血液浄化装置。
【請求項６】
前記異常検出部が異常を検出したことを報知する報知部を具備するとともに、当該報知部は、前記差分に応じた報知を行う請求項２〜５の何れか１つに記載の血液浄化装置。
【請求項７】
前記検出部は、前記貯留チャンバの重量を検出する重量計である請求項１〜６の何れか１つに記載の血液浄化装置。
【請求項８】
前記液導入ポンプ及び液導出ポンプは、駆動量に対して吐出量が一定とされた蠕動ポンプである請求項１〜７の何れか１つに記載の血液浄化装置。
【請求項９】
前記貯留チャンバは、前記供給液回路において前記供給液を貯留する供給液貯留チャンバと、前記供給液回路において前記排液を貯留する排液貯留チャンバと、を有し、
前記検出部は、前記供給液貯留チャンバ及び前記排液貯留チャンバの残量を検出し、
前記検出部が検出する残量に基づいて前記血液回路の水収支量を算出する、請求項１〜８の何れか１つに記載の血液浄化装置。
【請求項１０】
前記貯留チャンバは、前記供給液回路において前記供給液を貯留する供給液貯留チャンバと、前記供給液回路において前記排液を貯留する排液貯留チャンバと、を有し、
前記液導入ポンプは、前記供給液回路において前記供給液貯留チャンバの送液方向上流側に配置され、前記供給液貯留チャンバに前記供給液を導入する供給液導入ポンプと、前記供給液回路において前記排液貯留チャンバの送液方向上流側に配置され、前記排液貯留チャンバに前記排液を導入する排液導入ポンプと、を有し、
前記液導出ポンプは、前記供給液回路において前記供給液貯留チャンバの送液方向下流側に配置され、前記供給液貯留チャンバから前記供給液を導出する供給液導出ポンプと、前記供給液回路において前記排液貯留チャンバの送液方向下流側に配置され、前記排液貯留チャンバから前記排液を導出する排液導出ポンプと、を有する請求項１〜９の何れか１つに記載の血液浄化装置。
【発明の詳細な説明】
【技術分野】
【０００１】
本発明は、患者の血液を体外循環させつつ浄化するための血液浄化装置に関するものである。
【背景技術】
【０００２】
一般に、透析治療を行うための血液浄化装置は、患者の血液を体外循環させるための血液回路を構成する脱血側血液回路及び返血側血液回路と、血液回路にて体外循環する血液を浄化するための血液浄化手段と、血液回路及び血液浄化手段にて血液浄化治療させるための血液ポンプ等の種々の治療手段が配設された装置本体とを具備している。脱血側血液回路及び返血側血液回路の先端には、それぞれバスキュラーアクセスカテーテル、或いは穿刺針（脱血側穿刺針及び返血側穿刺針）が取り付け可能とされる。
【０００３】
そして、例えば脱血側穿刺針及び返血側穿刺針を患者に穿刺した後、血液ポンプを駆動させることにより、患者の血液が脱血側血液回路及び返血側血液回路を流動することとなり、その流動過程において血液浄化手段にて血液浄化されるようになっている。また、透析治療においては、血液浄化手段に透析液を導入するための透析液導入ラインと、血液浄化手段から排液を排出するための排液排出ラインとがそれぞれ血液浄化手段に接続されている。
【０００４】
ところで、血液浄化治療においては、血液浄化器の透析液流路に透析液を流通させることにより、血液浄化膜を介して血液中の物質を拡散作用によって除去する血液透析治療（ＨＤ）、血液浄化器において限外濾過圧の作用によって血液中の水分及び物質を除去し、除去した水分と同量の補充液を血液中に注入する血液濾過治療（ＨＦ）、血液透析治療（ＨＤ）及び血液濾過治療（ＨＦ）を同時に行う血液透析濾過（ＨＤＦ）なる治療法が確立されており、特に急性腎不全等の疾患を有する患者に対して血液浄化治療を行う場合、その患者の容態に合わせて、血液透析（ＨＤ）、血液濾過（ＨＦ）及び血液透析濾過（ＨＤＦ）を一治療過程で切り替えて行うこと必要がある。
【０００５】
このようなニーズに応えるべく、例えば特許文献１にて開示されているように、従来、透析液や補液を貯留する供給液貯留チャンバと、供給液排液を貯留する排液貯留チャンバとを具備するとともに、供給液貯留チャンバに供給液を導入しつつ排液貯留チャンバに貯留された供給液排液を排出する充填工程と、供給液貯留チャンバに貯留された供給液及び排液貯留チャンバに貯留された供給液排液の重量を重量計で計測する計測工程とを実行していた。
【先行技術文献】
【特許文献】
【０００６】
【特許文献１】特開２０１４−１６８号公報
【発明の概要】
【発明が解決しようとする課題】
【０００７】
上記従来の血液浄化装置においては、排液貯留チャンバから装置外部に供給液排液を排出する流路が閉塞している場合、或いは供給液貯留チャンバに供給する供給液が不足している場合などの装置の異常を検出する場合、専用のセンサ（圧力センサ等）が必要とされるので、コストが嵩んでしまうという問題がある。
【０００８】
本発明は、このような事情に鑑みてなされたもので、専用のセンサ等を具備することなく安価に装置の異常を検出することができ、コストを低下することができる血液浄化装置を提供することにある。
【課題を解決するための手段】
【０００９】
請求項１記載の発明は、血液浄化器を介して患者の血液が体外循環する血液回路と、前記血液浄化器若しくは前記血液回路に供給される供給液が流通する供給液ライン、及び前記血液浄化器から排出される供給液の排液が流通する排液ラインを有する供給液回路と、前記供給液回路において前記供給液または前記排液を貯留する貯留チャンバと、前記供給液回路において前記貯留チャンバの送液方向上流側に配置され、前記貯留チャンバに前記供給液または前記排液を導入する液導入ポンプと、前記供給液回路において前記貯留チャンバの送液方向下流側に配置され、前記貯留チャンバから前記供給液または前記排液を導出する液導出ポンプと、前記貯留チャンバの残量を検出する検出部と、前記液導入ポンプが前記貯留チャンバに導入する前記供給液または排液の導入量、前記液導出ポンプが前記貯留チャンバに導出する前記供給液または排液の導出量、及び前記検出部が検出する前記貯留チャンバの残量に基づいて、前記供給液回路の送液状態の異常を検出する異常検出部と、を具備する。
【００１０】
請求項２記載の発明は、請求項１に記載の血液浄化装置において、前記異常検出部は、前記液導入ポンプの導入量及び前記液導出ポンプの導出量に応じた前記貯留チャンバの残量理論値と、前記検出部が検出する検出値に応じた残量実測値との差分に基づいて、前記供給液回路の送液状態の異常を検出する。
【００１１】
請求項３記載の発明は、請求項２に記載の血液浄化装置において、前記異常検出部は、前記差分が閾値より高くなったことを条件として前記供給液排液ラインの閉塞を検出する。
【００１２】
請求項４記載の発明は、請求項３記載の血液浄化装置において、前記異常検出部は、前記差分の変化量または変化速度に応じて前記排液ラインの閉塞と他の異常とを判別する。
【００１３】
請求項５記載の発明は、請求項２に記載の血液浄化装置において、前記貯留チャンバに供給する供給液が収容された供給液収容部を具備するとともに、前記異常検出部は、前記差分が閾値より低くなったことを条件として前記供給液収容部内の供給液の不足を検出する。
【００１４】
請求項６記載の発明は、請求項２〜５の何れか１つに記載の血液浄化装置において、前記異常検出部が異常を検出したことを報知する報知部を具備するとともに、当該報知部は、前記差分に応じた報知を行う。
【００１５】
請求項７記載の発明は、請求項１〜６の何れか１つに記載の血液浄化装置において、前記検出部は、前記貯留チャンバの重量を検出する重量計である。
【００１６】
請求項８記載の発明は、請求項１〜７の何れか１つに記載の血液浄化装置において、前記液導入ポンプ及び液導出ポンプは、駆動量に対して吐出量が一定とされた蠕動ポンプである。
【００１７】
請求項９記載の発明は、請求項１〜８の何れか１つに記載の血液浄化装置において、前記貯留チャンバは、前記供給液回路において前記供給液を貯留する供給液貯留チャンバと、前記供給液回路において前記排液を貯留する排液貯留チャンバと、を有し、前記検出部は、前記供給液貯留チャンバ及び前記排液貯留チャンバの残量を検出し、前記検出部が検出する残量に基づいて前記血液回路の水収支量を算出する。
【００１８】
請求項１０記載の発明は、請求項１〜９の何れか１つに記載の血液浄化装置において、前記貯留チャンバは、前記供給液回路において前記供給液を貯留する供給液貯留チャンバと、前記供給液回路において前記排液を貯留する排液貯留チャンバと、を有し、前記液導入ポンプは、前記供給液回路において前記供給液貯留チャンバの送液方向上流側に配置され、前記供給液貯留チャンバに前記供給液を導入する供給液導入ポンプと、前記供給液回路において前記排液貯留チャンバの送液方向上流側に配置され、前記排液貯留チャンバに前記排液を導入する排液導入ポンプと、を有し、前記液導出ポンプは、前記供給液回路において前記供給液貯留チャンバの送液方向下流側に配置され、前記供給液貯留チャンバから前記供給液を導出する供給液導出ポンプと、前記供給液回路において前記排液貯留チャンバの送液方向下流側に配置され、前記排液貯留チャンバから前記排液を導出する排液導出ポンプと、を有する。
【発明の効果】
【００１９】
請求項１の発明によれば、供給液回路において供給液または排液を貯留する貯留チャンバと、供給液回路において貯留チャンバの送液方向上流側に配置され、貯留チャンバに供給液または排液を導入する液導入ポンプと、供給液回路において貯留チャンバの送液方向下流側に配置され、貯留チャンバから供給液または排液を導出する液導出ポンプと、貯留チャンバの残量を検出する検出部と、液導入ポンプが貯留チャンバに導入する供給液または排液の導入量、液導出ポンプが貯留チャンバに導出する供給液または排液の導出量、及び検出部が検出する貯留チャンバの残量に基づいて、供給液回路の送液状態の異常を検出する異常検出部と、を具備するので、専用のセンサ等を具備することなく安価に装置の異常を検出することができ、コストを低下することができる。
【００２０】
請求項２の発明によれば、異常検出部は、液導入ポンプの導入量及び液導出ポンプの導出量に応じた貯留チャンバの残量理論値と、検出部が検出する検出値に応じた残量実測値との差分に基づいて、供給液回路の送液状態の異常を検出するので、精度よく装置の異常を検出することができる。
【００２１】
請求項３の発明によれば、異常検出部は、差分が閾値より高くなったことを条件として供給液排液ラインの閉塞を検出するので、供給液排液ラインの閉塞によって貯留チャンバ内の供給液の排液が溢れてしまうのを回避することができる。
【００２２】
請求項４の発明によれば、異常検出部は、差分の変化量または変化速度に応じて排液ラインの閉塞と他の異常とを判別するので、供給液排液ラインの閉塞と他の異常とを区別して対応させることができる。
【００２３】
請求項５の発明によれば、貯留チャンバに供給する供給液が収容された供給液収容部を具備するとともに、異常検出部は、差分が閾値より低くなったことを条件として供給液収容部内の供給液の不足を検出するので、供給液の不足によって供給液貯留チャンバが空になってしまうのを回避することができる。
【００２４】
請求項６の発明によれば、異常検出部が異常を検出したことを報知する報知部を具備するとともに、当該報知部は、差分に応じた報知を行うので、異常に対する措置を素早く行わせることができる。
【００２５】
請求項７の発明によれば、検出部は、貯留チャンバの重量を検出する重量計であるので、重量計で検出した重量により貯留チャンバの重量バランスを監視することができる。
【００２６】
請求項８の発明によれば、液導入ポンプ及び液導出ポンプは、駆動量に対して吐出量が一定とされた蠕動ポンプであるので、液導入ポンプの駆動量及び液導出ポンプの駆動量に基づく残量理論値を高精度に求めることができる。
【００２７】
請求項９の発明によれば、貯留チャンバは、供給液回路において供給液を貯留する供給液貯留チャンバと、供給液回路において排液を貯留する排液貯留チャンバと、を有し、検出部は、供給液貯留チャンバ及び排液貯留チャンバの残量を検出し、検出部が検出する残量に基づいて血液回路の水収支量を算出するので、専用のセンサ等を具備することなく安価に装置の異常を検出することができ、コストを低下することができる。
【００２８】
請求項１０の発明によれば、貯留チャンバは、供給液回路において供給液を貯留する供給液貯留チャンバと、供給液回路において排液を貯留する排液貯留チャンバと、を有し、液導入ポンプは、供給液回路において供給液貯留チャンバの送液方向上流側に配置され、供給液貯留チャンバに供給液を導入する供給液導入ポンプと、供給液回路において排液貯留チャンバの送液方向上流側に配置され、排液貯留チャンバに排液を導入する排液導入ポンプと、を有し、液導出ポンプは、供給液回路において供給液貯留チャンバの送液方向下流側に配置され、供給液貯留チャンバから供給液を導出する供給液導出ポンプと、供給液回路において排液貯留チャンバの送液方向下流側に配置され、排液貯留チャンバから排液を導出する排液導出ポンプと、を有するので、精度よく装置の異常を検出することができる。
【図面の簡単な説明】
【００２９】
【図１】本発明の実施形態に係る血液浄化装置を示す模式図
【図２】同血液浄化装置の異常検出部による異常の検出方法（異常がない場合）を示すグラフ
【図３】同血液浄化装置の異常検出部による異常の検出方法（差分が上限の閾値を超えた場合）を示すグラフ
【図４】同血液浄化装置の異常検出部による異常の検出方法（差分が下限の閾値を超えた場合）を示すグラフ
【図５】同血液浄化装置の異常検出部による異常の検出のためのフローチャート
【図６】本発明の他の実施形態に係る血液浄化装置における排液貯留チャンバの状態を示す模式図
【図７】本発明の他の実施形態に係る血液浄化装置における供給液貯留チャンバの状態を示す模式図
【発明を実施するための形態】
【００３０】
以下、本発明の実施形態について図面を参照しながら具体的に説明する。
本実施形態に係る血液浄化装置は、患者の血液を体外循環させつつ浄化するための血液透析装置に適用されたもので、図１に示すように、脱血側血液回路１ａ及び返血側血液回路１ｂを有する血液回路１と、脱血側血液回路１ａ及び返血側血液回路１ｂの間に介装されて血液回路１を流れる血液を浄化するダイアライザ２（血液浄化器）と、第１透析液導入ラインＬ１ａ及び第２透析液導入ラインＬ１ｂと、第１補液ラインＬ２ａ、第２補液ラインＬ２ｂと、前補液ラインＬ２ｃ及び後補液ラインＬ２ｄと、第１排液排出ラインＬ３ａ及び第２排液排出ラインＬ３ｂと、血液ポンプＰ１と、透析液導入ポンプＰ２と、第１補液ポンプＰ３と、排液排出ポンプＰ４と、透析液移送ポンプＰ５と、補液移送ポンプＰ６と、排液移送ポンプＰ７と、第２補液ポンプＰ８と、重量計４（検出部）と、異常検出部５と、報知部６と、第１加温器Ｈ１及び第２加温器Ｈ２とを具備して構成されている。
【００３１】
また、ダイアライザ２に供給する透析液及び血液回路１に供給する補充液は、本発明の供給液であり、透析液収容バッグＢ１及び補充液収容バッグＢ２は、供給液を収容する供給液収容部である。さらに、補充液貯留チャンバＫ１及び透析液貯留チャンバＫ２は、本発明の供給液貯留チャンバであり、重量計４は、本発明の検出部であるとともに、第１透析液導入ラインＬ１ａ、第２透析液導入ラインＬ１ｂ、第１補液ラインＬ２ａ及び第２補液ラインＬ２ｂは、本発明の供給液ラインであり、第１排液排出ラインＬ３ａ及び第２排液排出ラインＬ３ｂは、本発明の供給液排液ラインである。かかる供給液ラインは、ダイアライザ２（血液浄化器）若しくは血液回路１に供給される供給液が流通する可撓性チューブから成るとともに、供給液排液ラインは、ダイアライザ２（血液浄化器）から排出される供給液排液が流通する可撓性チューブから成り、これら供給液ライン及び供給液排液ラインを供給液回路と称する。
【００３２】
またさらに、透析液移送ポンプＰ５及び補液移送ポンプＰ６は、供給液回路において供給液貯留チャンバ（補充液貯留チャンバＫ１及び透析液貯留チャンバＫ２）の送液方向上流側に配置され、供給液貯留チャンバ（補充液貯留チャンバＫ１及び透析液貯留チャンバＫ２）供給液を導入する液導入ポンプであり、透析液導入ポンプＰ２及び第１補液ポンプＰ３は、供給液回路において貯留チャンバ（補充液貯留チャンバＫ１及び透析液貯留チャンバＫ２）の送液方向下流側に配置され、貯留チャンバ（補充液貯留チャンバＫ１及び透析液貯留チャンバＫ２）から供給液を導出する液導出ポンプである。
【００３３】
加えて、排液排出ポンプＰ４は、供給液回路において排液貯留チャンバＫ３の送液方向上流側に配置され、排液貯留チャンバＫ３に供給液排液を導入する液導入ポンプであり、排液移送ポンプＰ７は、供給液回路において排液貯留チャンバＫ３の送液方向下流側に配置され、排液貯留チャンバＫ３から供給液排液を導出する液導出ポンプである。
【００３４】
なお、図中符号Ｐａ、Ｐｂは、圧力センサを示している。また、本実施形態に係る血液ポンプＰ１、透析液導入ポンプＰ２、第１補液ポンプＰ３、排液排出ポンプＰ４、透析液移送ポンプＰ５、補液移送ポンプＰ６、排液移送ポンプＰ７及び第２補液ポンプＰ８は、流路を構成する可撓性チューブをしごいて送液するしごき型ポンプにて構成されている。かかるしごき型ポンプは、駆動量に対して吐出量が一定とされた蠕動ポンプから成る。
【００３５】
また、血液ポンプＰ１、透析液導入ポンプＰ２、第１補液ポンプＰ３、排液排出ポンプＰ４、透析液移送ポンプＰ５、補液移送ポンプＰ６、排液移送ポンプＰ７及び第２補液ポンプＰ８は、モータ等の各駆動源（不図示）に、ギア等の駆動伝達部材を介して接続されており、各駆動源の駆動力が供給されて、ポンプとして動作可能に構成されている。また、各駆動源（モータ）には、駆動量（回転量）を検出するために、駆動量検出部としてエンコーダが設けられている。これにより、駆動量検出部が検出する駆動量に基づいて、適切に各駆動源の駆動制御を行うことが可能である。また、詳細は後述するが、異常検出部５は、上記駆動量検出部が検出する各ポンプＰ１〜Ｐ８の駆動量を用いて、異常検出を行っている。
【００３６】
脱血側血液回路１ａ及び返血側血液回路１ｂには、それぞれの先端にコネクタが接続されており、当該コネクタを介して脱血側穿刺針及び返血側穿刺針（不図示）が接続可能とされている。そして、脱血側血液回路１ａの先端に接続された脱血側穿刺針及び返血側血液回路１ｂの先端に接続された返血側穿刺針を患者に穿刺した状態で、血液ポンプＰ１を駆動させると、血液回路１にて患者の血液を体外循環させ得るようになっている。
【００３７】
すなわち、脱血側穿刺針及び返血側穿刺針を患者に穿刺した状態において、血液ポンプＰ１を駆動させると、患者の血液は、脱血側血液回路１ａを通ってダイアライザ２に至り、ダイアライザ２によって血液浄化が施された後、返血側血液回路１ｂを通って患者の体内に戻るようになっている。なお、本明細書においては、血液を脱血（採血）する穿刺針の側を「脱血側」と称し、血液を返血する穿刺針の側を「返血側」と称しており、「脱血側」及び「返血側」とは、穿刺の対象となる血管が動脈及び静脈の何れかによって定義されるものではない。
【００３８】
また、返血側血液回路１ｂの途中には、エアトラップチャンバ３が接続されており、血液回路１にて体外循環する血液は、当該エアトラップチャンバ３にて気泡が取り除かれた後、患者に戻ることとなる。なお、脱血側穿刺針及び返血側穿刺針を患者の血管に穿刺する形態に代えて、ダブルルーメンカテーテルを患者の鎖骨下静脈或いは大腿静脈に挿入、或いは患者の腕の血管に挿入する等の形態であってもよい。
【００３９】
ダイアライザ２は、血液を導入可能な血液導入ポート２ａと、血液を導出可能な血液導出ポート２ｂと、透析液を導入可能な透析液導入ポート２ｃと、透析液を導出可能な透析液導出ポート２ｄと、血液導入ポート２ａ及び血液導出ポート２ｂに亘って延設されて血液を流通可能な血液流路（不図示）と、透析液導入ポート２ｃ及び透析液導出ポート２ｄに亘って延設されて透析液を流通可能な透析液流路（不図示）と、血液流路と透析液流路との間に介在して当該血液流路を流通する血液を浄化し得る血液浄化膜（不図示）とを有している。
【００４０】
より具体的には、ダイアライザ２は、その筐体部に、血液導入ポート２ａ、血液導出ポート２ｂ、透析液導入ポート２ｃ及び透析液導出ポート２ｄが突出形成されており、このうち血液導入ポート２ａには脱血側血液回路１ａが、血液導出ポート２ｂには返血側血液回路１ｂがそれぞれ接続されるとともに、透析液導入ポート２ｃには第２透析液導入ラインＬ１ｂが、透析液導出ポート２ｄには第１排液排出ラインＬ３ａがそれぞれ接続されるようになっている。さらに、効率的な透析治療を行わせるために、血液の入り口である血液導入ポート２ａと透析液の入り口である透析液導入ポート２ｃの上下方向の位置関係が逆になっており、血液流路にて流通する血液と対向する向きに透析液が流通するよう構成されている。
【００４１】
また、ダイアライザ２内には、複数の中空糸膜が収容されており、この中空糸が血液を浄化するための血液浄化膜を構成している。すなわち、中空糸を構成する血液浄化膜の内部が血液流路とされるとともに、筐体と中空糸との間の空間が透析液流路とされているのである。そして、血液浄化膜は、中空糸膜を形成しており、その外周面と内周面とを貫通した微小な孔（ポア）が多数形成され、当該中空糸該膜を介して血液流路を流通する血液中の不純物等が透析液流路を流通する透析液内に透過（濾過）し得るよう構成されている。
【００４２】
第１透析液導入ラインＬ１ａは、透析液収容バッグＢ１（透析液収容部）に収容された透析液を透析液貯留チャンバＫ２に流通させる可撓性チューブから成り、一端が透析液収容バッグＢ１（透析液収容部）の下部に接続されるとともに、他端が透析液貯留チャンバＫ２の下部に接続されている。透析液収容バッグＢ１は、ダイアライザ２に供給する透析液を所定容量収容したもので、装置本体に取り付けられた支持部（不図示）にて所定高さの位置で支持されている。透析液貯留チャンバＫ２は、透析液収容バッグＢ１（透析液収容部）の透析液を貯留するもので、透析液収容バッグＢ１より小さい容量の容器から成るものである。
【００４３】
また、第１透析液導入ラインＬ１ａには、透析液の流路を構成する可撓性チューブをしごいて送液するしごき型ポンプから成る透析液移送ポンプＰ５が配設されている。しかして、透析液移送ポンプＰ５は、駆動によってロータが回転し、ローラが可撓性チューブを長手方向にしごくことにより、透析液収容バッグＢ１に収容された透析液を透析液貯留チャンバＫ２に送液して貯留させ得るようになっている。
【００４４】
第２透析液導入ラインＬ１ｂは、透析液貯留チャンバＫ２に貯留された透析液をダイアライザ２に流通させる可撓性チューブから成り、一端が透析液貯留チャンバＫ２の下部に接続されるとともに、他端がダイアライザ２の透析液導入ポート２ｃに接続されている。また、第２透析液導入ラインＬ１ｂには、透析液の流路を構成する可撓性チューブをしごいて送液するしごき型ポンプから成る透析液導入ポンプＰ２が配設されている。しかして、透析液導入ポンプＰ２は、駆動によってロータが回転し、ローラが可撓性チューブを長手方向にしごくことにより、透析液貯留チャンバＫ２に貯留された透析液をダイアライザ２に送液して導入させ得るようになっている。
【００４５】
さらに、本実施形態に係る第２透析液導入ラインＬ１ｂには、透析液を加温するための加温器Ｈ１が取り付けられている。かかる加温器Ｈ１は、透析液貯留チャンバＫ２からダイアライザ２に導入される透析液を加温し得るヒータから成るもので、加温バッグ７を取り付け可能とされている。この加温バッグ７は、例えば可撓性のシートを２枚重ねて溶着することによって流路が形成されるとともに、当該流路の一端側及び他端側に第２透析液導入ラインＬ１ｂと接続可能な接続部を有して構成されている。
【００４６】
第１補液ラインＬ２ａは、補充液収容バッグＢ２（補充液収容部）に収容された補充液を補充液貯留チャンバＫ１に流通させる可撓性チューブから成り、一端が補充液収容バッグＢ２（補充液収容部）の下部に接続されるとともに、他端が補充液貯留チャンバＫ１の下部に接続されている。補充液収容バッグＢ２は、血液回路１に供給する補充液を所定容量収容したもので、装置本体に取り付けられた支持部（不図示）にて所定高さの位置で支持されている。補充液貯留チャンバＫ１は、補充液収容バッグＢ２（補充液収容部）の補充液を貯留するもので、補充液収容バッグＢ２より小さい容量の容器から成るものである。
【００４７】
また、第１補液ラインＬ２ａには、補充液の流路を構成する可撓性チューブをしごいて送液するしごき型ポンプから成る補液移送ポンプＰ６が配設されている。しかして、補液移送ポンプＰ６は、駆動によってロータが回転し、ローラが可撓性チューブを長手方向にしごくことにより、補充液収容バッグＢ２に収容された補充液を補充液貯留チャンバＫ１に送液して貯留させ得るようになっている。
【００４８】
第２補液ラインＬ２ｂは、補充液貯留チャンバＫ１に貯留された補充液を前補液ラインＬ２ｃ又は後補液ラインＬ２ｄを介して血液回路１に流通させる可撓性チューブから成り、一端が補充液貯留チャンバＫ１の下部に接続されるとともに、他端が前補液ラインＬ２ｃ及び後補液ラインＬ２ｄに接続されている。また、第２補液ラインＬ２ｂには、補充液の流路を構成する可撓性チューブをしごいて送液するしごき型ポンプから成る第１補液ポンプＰ３が配設されている。かかる第１補液ポンプＰ３は、駆動によってロータが回転し、ローラが可撓性チューブを長手方向にしごくことにより、補充液貯留チャンバＫ１に貯留された補充液を前補液ラインＬ２ｃを介して脱血側血液回路１ａ、又は後補液ラインＬ２ｄを介して返血側血液回路１ｂに送液して補液し得るものである。
【００４９】
さらに、本実施形態に係る第２補液ラインＬ２ｂには、補充液を加温するための加温器Ｈ２が取り付けられている。かかる加温器Ｈ２は、補充液貯留チャンバＫ１から血液回路１に導入される補充液を加温し得るヒータから成るもので、加温バッグ７を取り付け可能とされている。この加温バッグ７は、例えば可撓性のシートを２枚重ねて溶着することによって流路が形成されるとともに、当該流路の一端側及び他端側に第２補液ラインＬ２ｂと接続可能な接続部を有して構成されている。
【００５０】
またさらに、第２補液ラインＬ２ｂにおける加温器Ｈ２と脱血側血液回路１ａ又は返血側血液回路１ｂとの間には、補充液中の気泡を捕捉し得るエアトラップチャンバ８が取り付けられている。しかして、加温器Ｈ２で加温された補充液中の気泡は、エアトラップチャンバ８にて捕捉されるので、血液回路１に流れてしまうのを防止することができる。また、エアトラップチャンバ８の上部には、圧力センサＰｂが取り付けられた連結ラインＬ４が接続されており、エアトラップチャンバ８内の空気層を介して第２補液ラインＬ２ｂを流通する補充液の液圧を検出し得るようになっている。なお、連結ラインＬ４には、エアフィルタＦ４が接続されている。
【００５１】
前補液ラインＬ２ｃは、脱血側血液回路１ａに補充液を導入して前補液するための流路から成り、一端が第２補液ラインＬ２ｂに接続されるとともに、他端が脱血側血液回路１ａにおける血液ポンプＰ１とダイアライザ２との間に接続されている。そして、第１補液ポンプＰ３が駆動して補充液貯留チャンバＫ１から第２補液ラインＬ２ｂにて補充液が送液されると、その補充液が前補液ラインＬ２ｃを介して脱血側血液回路１ａに導入されるようになっている。
【００５２】
後補液ラインＬ２ｄは、静脈血液回路１ｂに補充液を導入して後補液するための流路から成り、一端が第２補液ラインＬ２ｂに接続されるとともに、他端が返血側血液回路１ｂにおけるエアトラップチャンバ３との間に接続されている。そして、第１補液ポンプＰ３が駆動して補充液貯留チャンバＫ１から第２補液ラインＬ２ｂにて補充液が送液されると、その補充液が後補液ラインＬ２ｄを介して返血側血液回路１ｂに導入されるようになっている。
【００５３】
本実施形態に係る前補液ラインＬ２ｃには、補充液の流路を構成する可撓性チューブをしごいて送液するしごき型ポンプから成る第２補液ポンプＰ８が配設されるとともに、後補液ラインＬ２ｄには、補充液の血液回路１に対する流動を許容しつつ反対側への流動を規制する逆止弁Ｖ１が接続されている。また、本実施形態に係る補液ポンプは、補液ライン（第２補液ラインＬ２ｂ）に配設された第１補液ポンプＰ３と、前補液ラインＬ２ｃ又は後補液ラインＬ２ｄの少なくとも一方（本実施形態においては、前補液ラインＬ２ｃ）に配設された第２補液ポンプＰ８とを有して構成されている。
【００５４】
これにより、第１補液ポンプＰ３と略同一の流動となるように第２補液ポンプＰ８を駆動させることにより、補充液貯留チャンバＫ１の補充液を脱血側血液回路１ａに導入させて前補液することができるとともに、第１補液ポンプＰ３を駆動させつつ第２補液ポンプＰ８を停止させることにより、補充液貯留チャンバＫ１の補充液を返血側血液回路１ｂに導入させて後補液することができる。また、第２補液ポンプＰ８を第１補液ポンプＰ３よりも低い送液量となるよう駆動させることにより、当該第２補液ポンプＰ８の流量に応じた割合で、脱血側血液回路１ａ及び返血側血液回路１ｂに補充液を導入させて前後補液することができるようになっている。ここで、制御部は、第１補液ポンプＰ３及び第２補液ポンプＰ８の送液量の比率を変更するように第１補液ポンプＰ３及び第２補液ポンプＰ８を制御することによって、前捕液量及び後捕液量の比率を変更可能である。
【００５５】
さらに、後補液ラインＬ２ｄには、逆止弁Ｖ１が接続されているので、第１補液ポンプＰ３と第２補液ポンプＰ８との間の流路に陰圧が生じた場合であっても、血液回路１内の血液が後補液ラインＬ２ｄに吸入されてしまうのを防止することができる。なお、第２補液ポンプＰ８の送液量が第１補液ポンプＰ３の送液量より大きい場合に、第１補液ポンプＰ３と第２補液ポンプＰ８との間の流路に陰圧が生じる。また、前補液ラインＬ２ｃに逆支弁Ｖ１が接続されるとともに、後補液ラインＬ２ｄに第２補液ポンプＰ８が配設されたもの、或いは前補液ラインＬ２ｃ及び後補液ラインＬ２ｄのそれぞれに第２補液ポンプＰ８が配設されたものとしてもよい。
【００５６】
またさらに、第２補液ラインＬ２ｂ（補液ライン）、前補液ラインＬ２ｃ及び後補液ラインＬ２ｄにおける第１補液ポンプＰ３、第２補液ポンプＰ８及び逆止弁Ｖ１で囲まれた補充液の流路の液圧を検出する圧力センサＰｂを具備するとともに、制御部は、当該圧力センサＰｂにより検出された液圧に応じて第１補液ポンプＰ３又は第２補液ポンプＰ８の駆動速度を補正するようになっている。
【００５７】
第１排液排出ラインＬ３ａは、ダイアライザ２から排出された排液を排液貯留チャンバＫ３に流通させる可撓性チューブから成り、一端がダイアライザ２の透析液導出ポート２ｄに接続されるとともに、他端が排液貯留チャンバＫ３の下部に接続されている。排液貯留チャンバＫ３は、ダイアライザ２から排出された排液を貯留するもので、透析液貯留チャンバＫ２及び補充液貯留チャンバＫ１と略等しい容量の容器から成るものである。
【００５８】
また、第１排液排出ラインＬ３ａには、排液の流路を構成する可撓性チューブをしごいて送液するしごき型ポンプから成る排液排出ポンプＰ４が配設されている。しかして、排液排出ポンプＰ４は、駆動によってロータが回転し、ローラが可撓性チューブを長手方向にしごくことにより、ダイアライザ２の排液を排液貯留チャンバＫ３に送液して貯留し得るようになっている。
【００５９】
第２排液排出ラインＬ３ｂは、排液貯留チャンバＫ３に貯留された排液を装置外部に排出させる可撓性チューブから成り、一端が排液貯留チャンバＫ３の下部に接続されるとともに、他端が装置外部に取り付けられた処理装置や排液受け等まで延設されている。また、第２排液排出ラインＬ３ｂには、排液の流路を構成する可撓性チューブをしごいて送液するしごき型ポンプから成る排液移送ポンプＰ７が配設されている。かかる排液移送ポンプＰ７（排出部）は、排液貯留チャンバＫ３に貯留された排液を任意タイミングで装置外部に送液して排出させるもポンプから成り、駆動によってロータが回転し、ローラが可撓性チューブを長手方向にしごくことにより、排液貯留チャンバＫ３の排液を装置外部に送液して排出し得るようになっている。
【００６０】
一方、透析液貯留チャンバＫ２、補充液貯留チャンバＫ１及び排液貯留チャンバＫ３は、装置本体の保持部（不図示）に保持されるようになっている。また、透析液貯留チャンバＫ２、補充液貯留チャンバＫ１及び排液貯留チャンバＫ３の各上部は、エアフィルタＦ１〜Ｆ３を介して大気開放されており、貯留した液体が流出すると各貯留チャンバ内に空気が導入されるとともに、液体が流入すると各貯留チャンバから空気が排出されるようになっている。
【００６１】
本実施形態においては、透析液貯留チャンバＫ２に貯留された透析液及び補充液貯留チャンバＫ１に貯留された補充液を規定量以上（満タン状態）とし、且つ、排液移送ポンプＰ７により排液を排出させることにより、排液貯留チャンバＫ３に貯留された排液を規定量以下（初期化状態）とする充填工程と、透析液貯留チャンバＫ２に貯留された透析液、補充液貯留チャンバＫ１に貯留された補充液、及び排液貯留チャンバＫ３に貯留された排液の重量を重量計４で計測する計測工程とを実行するよう構成されている。なお、排液貯留チャンバＫ３の初期化状態として、完全に空になる直前の状態が望ましいが、これに限らず、任意の規定量が設定され得る。
【００６２】
具体的には、計測工程において、透析液導入ポンプＰ２を駆動して透析液貯留チャンバＫ２に貯留された透析液をダイアライザ２に導入し、第１補液ポンプＰ３（必要に応じて第２補液ポンプＰ８）を駆動して補充液貯留チャンバＫ１に貯留された補充液を血液回路１に導入するとともに、排液排出ポンプＰ４を駆動してダイアライザ２からの排液を排液貯留チャンバＫ３に貯留させる。このとき、透析液移送ポンプＰ５、補液移送ポンプＰ６及び排液移送ポンプＰ７は停止した状態となっている。
【００６３】
そして、計測工程においては、重量計４によって、透析液貯留チャンバＫ２、補充液貯留チャンバＫ１及び排液貯留チャンバＫ３に貯留された透析液、補充液及び排液の重量バランスをリアルタイムで検出して監視し得るようになっている。しかして、重量計４の計測値に応じて、透析液導入ポンプＰ２、第１補液ポンプＰ３（第２補液ポンプＰ８）及び排液排出ポンプＰ４の駆動を制御することにより、透析液、補充液及び排液の重量バランスを所望な状態とすることができ、正常な治療を行わせることができる。
【００６４】
充填工程においては、透析液導入ポンプＰ２、第１補液ポンプＰ３（必要に応じて第２補液ポンプＰ８）及び排液排出ポンプＰ４の駆動を維持しつつ、透析液移送ポンプＰ５、補液移送ポンプＰ６及び排液移送ポンプＰ７を駆動させる。これにより、透析液移送ポンプＰ５の駆動によって透析液収容バッグＢ１から透析液貯留チャンバＫ２に透析液が補充されて貯留され、補液移送ポンプＰ６の駆動によって補充液収容バッグＢ２から補充液貯留チャンバＫ１に補充液が補充されて貯留されるとともに、排液移送ポンプＰ７の駆動によって排液貯留チャンバＫ３に貯留された排液が装置外部に排出される。
【００６５】
そして、液面センサＳ１、Ｓ２にて透析液貯留チャンバＫ２及び補充液貯留チャンバＫ１の液面を検知することによって、これら透析液貯留チャンバＫ２及び補充液貯留チャンバＫ１で貯留された透析液及び補充液が規定量に達したことを検出することができる。このとき、排液貯留チャンバＫ３の液面を検知する液面センサが配設されていないので、当該排液貯留チャンバＫ３が初期化状態（規定量以下）となったことを直接検出することはできない。
【００６６】
そこで、本実施形態においては、充填工程時、液面センサＳ１、Ｓ２にて透析液及び補充液が規定量に達したことを検知し、透析液及び補充液が規定量（満タンの状態）に達した状態となったことが検出されると、重量計４にて計測された透析液貯留チャンバＫ２、補充液貯留チャンバＫ１及び排液貯留チャンバＫ３の透析液、補充液及び排液の総重量（重量計４の計測値）が規定値以下（初期化状態）となったことを条件として、排液移送ポンプＰ７（排出部）による排液の排出を終了させて計測工程に移行するようになっている。
【００６７】
これにより、排液貯留チャンバＫ３の液面を検知する液面センサを具備しなくても、排液貯留チャンバＫ３が初期化状態（規定値以下）になった時点で排液の排出を終了させることができるので、排液の排出量が不足したり、或いは初期化状態から更に排液移送ポンプＰ７を駆動させて第１排液排出ラインＬ３ａや第２排液排出ラインＬ３ｂまで液面が下がり、空気が混入してしまうのを回避することができる。
【００６８】
ここで、本実施形態に係る血液浄化装置は、液導入ポンプの駆動量及び液導出ポンプの駆動量に基づく残量理論値と、重量計４（検出部）が検出する検出値に基づく残量実測値との差分を算出して異常を検出する異常検出部５を具備している。具体的には、かかる異常検出部５は、装置本体に配設されたマイコン等から成り、貯留チャンバの上流側の液導入ポンプの駆動量（吐出量の積算）から求められる貯留チャンバに対する供給液又は供給液排液の導入量から、貯留チャンバの下流側の液導出ポンプの駆動量（吐出量の積算）から求められる貯留チャンバからの供給液又は供給液排液の導出量を減算（貯留チャンバに対する導入量−貯留チャンバからの導出量）して残量理論値を算出する。
【００６９】
そして、算出された残量理論値と重量計４（検出部）が検出する検出値に基づく残量実測値との差分を算出し（例えば、残量理論値−残量実測値）、その差分をリアルタイムで監視することにより異常を検出することができる。すなわち、充填工程において、例えば第２排液排出ラインＬ３ｂが閉塞していると、残量実測値が残量理論値より高くなるので、図３に示すように、異常検出部５にて求められた差分が上限の閾値（＋Ｃ１）を超えることとなり、例えば透析液収容バッグＢ１の透析液又は補充液収容バッグＢ２の補充液（供給液収容部の供給液）が不足（液切れ）していると、残量実測値が残量理論値より低くなるので、図４に示すように、異常検出部５にて求められた差分が下限の閾値（−Ｃ１）を超えることとなる。なお、監視する差分が、残量実測値＝チャンバの導入量−チャンバの導出量であることから、例えばチャンバの導入量＝残量実測値＋チャンバの導出量、チャンバの導出量＝チャンバの導入量−残量実測値を監視してもよい。
【００７０】
すなわち、本実施形態に係る異常検出部５は、差分が上限の閾値（＋Ｃ１）を超えたことを条件として第２排液排出ラインＬ３ｂ（供給液排液ライン）の閉塞を検出するとともに、差分が下限の閾値（−Ｃ１）を超えたことを条件として透析液収容バッグＢ１又は補充液収容バッグＢ２（供給液収容部）内の供給液の不足を検出するのである。こうして、差分が上限の閾値（＋Ｃ１）又は下限の閾値（−Ｃ１）を超えたか否か監視することにより、第２排液排出ラインＬ３ｂが閉塞や供給液収容部の供給液の不足等の異常を検出することができる。
【００７１】
本実施形態においては、重量計４（検出部）にて補充液貯留チャンバＫ１、透析液貯留チャンバＫ２及び排液貯留チャンバＫ３の重量を検知しているので、残量理論値は、補充液貯留チャンバＫ１、透析液貯留チャンバＫ２及び排液貯留チャンバＫ３の３つの貯留チャンバに対する導入量から導出量を減算することにより得られ、（透析液移送ポンプＰ５の吐出積算−透析液導入ポンプＰ２の吐出積算）＋（補液移送ポンプＰ６の吐出積算−第１補液ポンプＰ３の吐出積算）−（排液移送ポンプＰ７の吐出積算−排液排出ポンプＰ４の吐出積算）なる演算式にて求めることができる。ここで、透析液移送ポンプＰ５、透析液導入ポンプＰ２、補液移送ポンプＰ６、第１補液ポンプＰ３、排液移送ポンプＰ７、及び排液排出ポンプＰ４の各吐出積算は、ロータの回転数積算×１回転当たりの吐出量として算出可能である。なお、残量理論値は、３つの貯留チャンバの初期量（基準となる量）に、３つの貯留チャンバの増減量（導入量から導出量を減算した量）を加算することにより得ても良い。
【００７２】
報知部６は、異常検出部５で異常が検出されたことを報知するもので、例えば効果音や音声を出力して異常を報知するスピーカ、文字や図形等を表示して異常を報知する表示器、点灯又は点滅して異常を報知するＬＥＤ等にて構成されている。また、報知部６は、差分に応じた報知を行うものであってもよく、例えば差分が上限の閾値（＋Ｃ１）を超えた場合、第２排液排出ラインＬ３ｂの閉塞の可能性がある旨を報知するとともに、差分が下限の閾値（−Ｃ１）を超えた場合、給液収容部の供給液の不足の可能性がある旨を報知するようにしてもよい。
【００７３】
次に、本実施形態に係る異常検出部５による異常の検出方法について、図５のフローチャートに基づいて説明する。
計測工程において、液導入ポンプ（透析液移送ポンプＰ５、補液移送ポンプＰ６及び排液排出ポンプＰ４）の駆動量（ロータの回転数）と、液導出ポンプ（透析液導入ポンプＰ２、第１補液ポンプＰ３及び排液移送ポンプＰ７）の駆動量（ロータの回転数）に基づいて残量理論値を求めるとともに、その残量理論値と重量計４（検出部）が検出する検出値に基づく残量実測値との差分を算出する（Ｓ１）。
【００７４】
そして、Ｓ２にて、算出した差分が所定の閾値（本実施形態においては、上限の閾値（＋Ｃ１）及び下限の閾値（−Ｃ１））を超えたか否かを判定する。差分が所定の閾値を超えない正常な場合、図２に示すように、差分が一定値Ｃ０を維持した状態となる一方、異常がある場合、時間経過に伴って差分が上昇して上限の閾値（＋Ｃ１）を超える場合と、及び時間経過に伴って差分が下降して下限の閾値（−Ｃ１）を超える場合とが想定される。
【００７５】
Ｓ２にて、差分が所定の閾値を超えないと判定されると、Ｓ３に進み、貯留チャンバ（補充液貯留チャンバＫ１、透析液貯留チャンバＫ２及び排液貯留チャンバＫ３）が初期状態に達したか否かが判定され、初期状態に達したと判定されると充填工程が終了するとともに、初期状態に達していないと判定されると、Ｓ１に戻って差分が再度算出される。このように、充填工程において、差分が繰り返し算出され、リアルタイムで監視されることとなる。
【００７６】
一方、Ｓ２にて、差分が所定の閾値を超えたと判定されると、Ｓ４に進み、報知部６による報知が行われる。かかる報知部６は、差分が上限の閾値（＋Ｃ１）を超えた場合、第２排液排出ラインＬ３ｂの閉塞の可能性がある旨を報知するとともに、差分が下限の閾値（−Ｃ１）を超えた場合、給液収容部の供給液の不足の可能性がある旨を報知するのが好ましい。
【００７７】
また、異常検出部５は、差分の変化量または変化速度に応じて第２排液排出ラインＬ３ｂ（供給液排液ライン）の閉塞と他の異常とを判別するようにしてもよい。例えば、Ｓ１で算出された差分の変化量または変化速度が所定より大きい場合、第２排液排出ラインＬ３ｂ（供給液排液ライン）が完全に閉塞していると判定するとともに、差分の変化量または変化速度が所定より小さい場合、不完全な閉塞或いはポンプ等の異常であると判定することができる。この場合、報知部６は、差分の変化量または変化速度に応じた報知を行うようにするのが好ましい。
【００７８】
本実施形態によれば、液導入ポンプの駆動量及び液導出ポンプの駆動量に基づく残量理論値と、重量計４（検出部）が検出する検出値に基づく残量実測値との差分を算出して異常を検出するので、専用のセンサ等を具備することなく安価に装置の異常を検出することができ、コストを低下することができる。特に、貯留チャンバの送液方向上流側及び下流側の双方において液導入ポンプと液導出ポンプとが設けられることで、貯留チャンバに対して正確に液の導入及び導出を行うことができる。
【００７９】
また、本実施形態に係る異常検出部５は、差分が上限の閾値（＋Ｃ１）を超えたことを条件として供給液排液ラインの閉塞を検出するので、供給液排液ラインの閉塞によって貯留チャンバ内の供給液排液が溢れてしまうのを回避することができる。特に、異常検出部５は、差分の変化量または変化速度に応じて供給液排液ラインの閉塞と他の異常とを判別するようにすれば、供給液排液ラインの閉塞と他の異常とを区別して対応させることができる。
【００８０】
さらに、貯留チャンバに供給する供給液が収容された供給液収容部を具備するとともに、異常検出部５は、差分が下限の閾値（−Ｃ１）を超えたことを条件として供給液収容部内の供給液の不足を検出するので、供給液の不足によって供給液貯留チャンバが空になってしまうのを回避することができる。またさらに、異常検出部５で異常が検出されたことを報知する報知部６を具備するとともに、当該報知部６は、差分に応じた報知を行うので、異常に対する措置を素早く行わせることができる。
【００８１】
また、本実施形態に係る検出部は、貯留チャンバの重量を検出する重量計４であるので、重量計４で検出した重量により貯留チャンバの重量バランスを監視することができる。詳細には、本実施形態に係る血液浄化装置は、補充液貯留チャンバＫ１、透析液貯留チャンバＫ２、及び排液貯留チャンバＫ３を備えるため、これらの貯留チャンバの総重量を重量計４が検出することによって、血液回路１に対する導入量（透析液及び補充液の量）及び導出量（透析液排液の量）の水収支量（除水量）を監視することができる。さらに、液導入ポンプ及び液導出ポンプは、駆動量に対して吐出量が一定とされた蠕動ポンプ（しごきポンプ）であるので、液導入ポンプの駆動量及び液導出ポンプの駆動量に基づく残量理論値を高精度に求めることができる。
【００８２】
以上、本実施形態について説明したが、本発明はこれらに限定されず、例えば図６に示すように、重量計４（検出部）は、専ら排液貯留チャンバＫ３の重量を検出し、その排液貯留チャンバＫ３の残量を検出するものであってもよい。この場合、異常検出部５は、排液排出ポンプＰ４（液導入ポンプ）の駆動量及び排液移送ポンプＰ７（液導出ポンプ）の駆動量に基づく残量理論値と、重量計４（検出部）が検出する検出値に基づく残量実測値との差分を算出して異常を検出することとなる。
【００８３】
また、図７に示すように、重量計４（検出部）は、補充液貯留チャンバＫ１及び透析液貯留チャンバＫ２の重量を検出し、重量計４（検出部）は、それら補充液貯留チャンバＫ１及び透析液貯留チャンバＫ２の残量を検出するものであってもよい。この場合、異常検出部５は、透析液移送ポンプＰ５及び補液移送ポンプＰ６（液導入ポンプ）の駆動量及び透析液導入ポンプＰ２及び第１補液ポンプＰ３（液導出ポンプ）の駆動量に基づく残量理論値と、重量計４（検出部）が検出する検出値に基づく残量実測値との差分を算出して異常を検出することとなる。
【００８４】
さらに、重量計４に代えて、貯留チャンバの残量を検出する他の検出部としてもよく、その場合、液面センサ（光学式、静電容量式、超音波式など）等により貯留チャンバの残量を検出するようにしてもよい。い。なお、透析液収容バッグＢ１及び補充液収容バッグＢ２は、可撓性の容器にて構成されているが、これに代えて、硬質の容器や液槽等で構成された透析液収容部及び補充液収容部としてもよい。
【産業上の利用可能性】
【００８５】
血液浄化器を介して患者の血液が体外循環する血液回路と、血液浄化器若しくは血液回路に供給される供給液が流通する供給液ライン、及び血液浄化器から排出される供給液の排液が流通する排液ラインを有する供給液回路と、供給液回路において供給液または排液を貯留する貯留チャンバと、供給液回路において貯留チャンバの送液方向上流側に配置され、貯留チャンバに供給液または排液を導入する液導入ポンプと、供給液回路において貯留チャンバの送液方向下流側に配置され、貯留チャンバから供給液または排液を導出する液導出ポンプと、貯留チャンバの残量を検出する検出部と、液導入ポンプが貯留チャンバに導入する供給液または排液の導入量、液導出ポンプが貯留チャンバに導出する供給液または排液の導出量、及び検出部が検出する貯留チャンバの残量に基づいて、供給液回路の送液状態の異常を検出する異常検出部と、を具備する血液浄化装置であれば、他の機能が付加されたもの等であってもよい。
【符号の説明】
【００８６】
１  血液回路
１ａ  脱血側血液回路
１ｂ  返血側血液回路
２  ダイアライザ（血液浄化器）
３  エアトラップチャンバ
４  重量計（検出部）
５  異常検出部
６  報知部
７  加温バッグ
８  エアトラップチャンバ
Ｋ１  補充液貯留チャンバ（供給液貯留チャンバ）
Ｋ２  透析液貯留チャンバ（供給液貯留チャンバ）
Ｋ３  排液貯留チャンバ
Ｂ１  透析液収容バッグ（透析液収容部）（供給液収容部）
Ｂ２  補充液収容バッグ（補充液収容部）（供給液収容部）
Ｌ１ａ  第１透析液導入ライン（供給液ライン）
Ｌ１ｂ  第２透析液導入ライン（供給液ライン）
Ｌ２ａ  第１補液ライン（供給液ライン）
Ｌ２ｂ  第２補液ライン（供給液ライン）
Ｌ２ｃ  前補液ライン
Ｌ２ｄ  後補液ライン
Ｌ３ａ  第１排液排出ライン（供給液排液ライン）
Ｌ３ｂ  第２排液排出ライン（供給液排液ライン）
Ｐ１  血液ポンプ
Ｐ２  透析液導入ポンプ
Ｐ３  第１補液ポンプ
Ｐ４  排液排出ポンプ
Ｐ５  透析液移送ポンプ
Ｐ６  補液移送ポンプ
Ｐ７  排液移送ポンプ
Ｐ８  第２補液ポンプ
Ｈ１  第１加温器
Ｈ２  第２加温器
Ｓ１、Ｓ２  液面センサ
Ｐａ、Ｐｂ  圧力センサ
【図１】
2020151191.tif 000003
【図２】
2020151191.tif 000004
【図３】
2020151191.tif 000005
【図４】
2020151191.tif 000006
【図５】
2020151191.tif 000007
【図６】
2020151191.tif 000008
【図７】
2020151191.tif 000009